(57)【要約】【課題】部品点数を削減できて安価に構成でき、かつカッターの取替えが容易で、再組立後の精度の維持も可能な鉛筆削り機を提供する。【解決手段】円柱表面に螺旋状の切削刃を有するとともに自身の回転軸１１ａ、１１ｂを両端に配設したカッター８と、カッター８の回転軸１１ａ、１１ｂを回転自在に保持する軸受部１２ａ、１２ｂを有するとともに手動又は電動の回転手段により回転駆動されるカッターホルダー３とを具備し、カッター８の少なくとも一方の回転軸１１ａ、１１ｂは、カッターホルダー３の少なくとも一方の軸受部１２ａ、１２ｂに対して、カッターホルダー３の鉛筆を削るときの回転方向とは反対方向から挿入するようにした。【選択図】図２
2007203656.tif 000002
【特許請求の範囲】
【請求項１】
外周表面に螺旋状の切削刃を有するとともに自身の回転軸を両端に配設したカッターと、カッターの回転軸を回転自在に保持する軸受部を有するとともに手動又は電動の回転手段により回転駆動されるカッターホルダーとを具備し、カッターの少なくとも一方の回転軸は、カッターホルダーの少なくとも一方の軸受部に対して、カッターホルダーの鉛筆を削るときの回転方向とは反対方向から挿入したことを特徴とする鉛筆削り機。
【請求項２】
カッターホルダーを樹脂材料にて構成し、カッターの回転軸を軸受部における樹脂の弾性を利用してはめ込んでいることを特徴とする請求項１記載の鉛筆削り機。
【発明の詳細な説明】
【技術分野】
【０００１】
本発明は、鉛筆削り機に関するものである。
【背景技術】
【０００２】
従来、円筒状のカッターを自転させながら鉛筆先端部の円錐状の切削面の回りを公転させるようにした電動鉛筆削り機は知られている（例えば、特許文献１参照。）。この電動鉛筆削り機の要部構成を図６を参照して説明する。図６において、２１は、鉛筆挿入孔２２を有するカッターホルダーであり、鉛筆挿入孔２２の軸芯周りに回転駆動可能に構成されている。カッターホルダー２１には、鉛筆の切削面Ｂと平行に配設されたカッターシャフト２３の前後両端部をスラスト方向にスライド自在に保持する軸受部２４、２５が設けられている。カッターシャフト２３には円筒状のカッター２６が嵌合され、カッターホルダー２１の回転によってカッター２６の外周が鉛筆の切削面Ｂに沿って回動するように構成されている。カッター２６の一端には、鉛筆挿入孔２２の軸芯を中心とする固定の内歯車（図示せず）に噛合する小歯車２７ａを有するとともにカッターシャフト２３に回転自在に嵌合するカッターピニオン２７が圧入され、カッター２６の他端には、カッターシャフト２３に回転自在に嵌合するカッター軸受２８が圧入されている。
【０００３】
以上の構成において、カッターホルダー２１をモータ（図示せず）により回転駆動することにより、鉛筆挿入孔２２内に挿入した鉛筆の先端部の回りをカッター２６が自転しながら公転し、鉛筆を削って行くことができる。
【０００４】
また、図７に示すように、カッターホルダー３１に圧入固着されたカッターシャフト３２にカッター３３が回転自在に嵌合され、カッター３３に図６と同様にカッターピニオン３４とカッター軸受（図示せず）が圧入された構成の手動鉛筆削り機も知られている（例えば、特許文献２参照）。
【特許文献１】特開昭６０−１８３９５号公報
【特許文献２】実公平７−３２１５４号公報
【発明の開示】
【発明が解決しようとする課題】
【０００５】
しかしながら、上記図６の構成では、カッター２６にカッターピニオン２７とカッター軸受２８の２部品が圧入されており、それらの圧入強度を確保するため、カッターピニオン２７及びカッター軸受２８の圧入部分にはローレット加工を施すのが一般的である。そのため、圧入後のカッターピニオン２７及びカッター軸受２８の内径の精度並びにカッター外周との同芯度を保つことが困難であった。そこで、従来はカッター２６にカッターピニオン２７とカッター軸受２８を圧入した後、それらの部品の内径に切削加工を施した後に、再度その内径を基準としてカッター２６の外周の切削刃の研削を行っていた。図７の構成においても同様である。そのため、従来例では、部品点数が多いばかりか、加工工程数が多いために、高価な部品となるという問題があった。
【０００６】
また、カッター２６、３３の取替えに際しては、カッターシャフト２３、３２をカッターホルダー２１、３１より取り外す必要があり、取替え作業に手間がかかり、特に図７の構成では、カッターシャフト３２がカッターホルダー３１に圧入固着されているため、取り外しが容易でないばかりか、再組立後の精度維持が困難であるという問題があった。
【０００７】
本発明は、上記従来の問題点に鑑み、部品点数を削減できて安価に構成でき、かつカッターの取替えが容易で、再組立後の精度の維持も可能な鉛筆削り機を提供することを目的とする。
【課題を解決するための手段】
【０００８】
本発明の鉛筆削り機は、外周表面に螺旋状の切削刃を有するとともに自身の回転軸を両端に配設したカッターと、カッターの回転軸を回転自在に保持する軸受部を有するとともに手動又は電動の回転手段により回転駆動されるカッターホルダーとを具備し、カッターの少なくとも一方の回転軸は、カッターホルダーの少なくとも一方の軸受部に対して、カッターホルダーの鉛筆を削るときの回転方向とは反対方向から挿入したものである。
【０００９】
この構成によると、従来のようにカッターシャフトやピニオンやカッター軸受を別部品として構成する必要がないので、部品点数を少なくすることができるとともに、加工及び組立工程数が飛躍的に少なくなるため、カッターとカッターホルダーの組立体を安価に構成でき、かつカッターの取替えに際してもカッターの回転軸をカッターホルダーの軸受部に挿脱するだけでよいので、作業が容易でかつ再組立後の精度も維持することができる。
【００１０】
また、カッターホルダーを樹脂材料にて構成し、カッターの回転軸を軸受部における樹脂の弾性を利用してはめ込んでいると、カッターの取替えに際してカッターの回転軸をカッターホルダーの軸受部に挿脱するだけでよく、かつ抜け出し防止手段を設けない簡単な構成でカッターを確実に保持することができ、部品点数をさらに削減できてより安価に構成することができる。
【発明の効果】
【００１１】
本発明の鉛筆削り機によれば、部品点数を少なくすることができるとともに、加工及び組立工程数が飛躍的に少なくなるため、カッターとカッターホルダーの組立体を安価に構成でき、かつカッターの取替えに際してもカッターの回転軸をカッターホルダーの軸受部に挿脱するだけでよいので、作業が容易でかつ再組立後の精度も維持することができる。
【発明を実施するための最良の形態】
【００１２】
以下、本発明の鉛筆削り機の一実施形態について、図１〜図５を参照して説明する。
【００１３】
図１において、１は電動鉛筆削り機であり、本体ケース２内の上部にカッターホルダー３が配設されている。カッターホルダー３は、本体ケース２の前面及びこのカッターホルダー３内に形成された鉛筆挿入孔４の軸心回りに回転自在に支持されている。カッターホルダー３の後部には鉛筆挿入孔４の軸心と同軸状に駆動軸３ａが突設され、その端部に駆動ギヤ５が設けられている。本体ケース２の後部にはカッターホルダー３を駆動するモータ６が配設され、その出力軸に固定されたウォームギヤ７が駆動ギヤ５に噛合され、モータ６にてカッターホルダー３を回転駆動するように構成されている。本体ケース２のカッターホルダー３の下部には、削りカス容器２ａが挿脱自在に配置されている。
【００１４】
８は外周面に螺旋状の切削刃を有する円筒状のカッターであり、図２に示すように、カッターピニオン９が圧入されて一体化されている。本発明では、これらカッター８とカッターピニオン９を一体化したものを総称してカッター８と称することがある。カッターピニオン９は、カッター８の後部に位置する小歯車１０を有するとともに、両端に回転軸１１ａ、１１ｂが突設されている。カッターピニオン９の回転軸１１ａ、１１ｂは、カッターホルダー３に設けられた軸受部１２ａ、１２ｂにて回転自在に保持されている。カッターピニオン９の小歯車１０は、図４に示すように、本体ケース２に固定して配設された内歯車１３に噛合され、カッターホルダー３の回転に伴って小歯車１０が内歯車１３に噛み合いながら転動することで、カッター８が自転しながら公転するように構成されている。
【００１５】
カッターホルダー３の一方の軸受部１２ａは、図３に示すように、回転軸１１ａが嵌合する嵌合部１４とこの嵌合部１４を一側方に開放する組み込み口１５とを備え、回転軸１１ａを組み込み口１５から挿入して嵌合部１４に嵌合し、その後抜け止め用ビス１６を取り付けることで、回転軸１１ａを回転自在に支持するとともに、回転軸１１ａを抜け止めするように構成されている。組み込み口１５はカッターホルダー３の回転方向Ａに向けて開放され、軸受部１２ａに対して回転方向Ａと反対方向から回転軸１１ａを挿入するように構成されている。なお、本実施形態では、他方の軸受部１２ｂも軸受部１２ａと同様の構成としているが、他方の軸受部１２ｂの軸受穴に回転軸１１ｂを軸芯方向から挿入して回転自在に支持するようにしても良い。
【００１６】
以上のように構成された電動鉛筆削り機１において、その動作を説明する。鉛筆をカッターホルダー３の鉛筆挿入孔４の奥まで挿入すると、始動スイッチ（図示せず）が作動し、モータ６が回転する。モータ６の回転は、ウォームギヤ７、駆動ギヤ５を介してカッターホルダー３に伝達される。カッターホルダー３及びカッター８は、図４の矢印Ａ方向に回転する。その際、カッターピニオン９の小歯車１０が内歯車１３に噛み合っているので、矢印Ｂ方向に自転しながら、矢印Ａ方向に公転することになる。こうして、カッター８が自転しながら公転することにより、カッター８の切削刃が鉛筆を削っていくことになる。
【００１７】
ここで、カッター８には、図３、図４の矢印Ｃ方向に鉛筆を削る負荷の反力が作用するので、鉛筆切削動作でカッター８が軸受部１２ａ、１２ｂの組み込み口１５方向に付勢されることはない。つまり、カッターホルダー３の軸受部１２ａ、１２ｂにカッター８の回転軸１１ａ、１１ｂをカッターホルダー３の回転方向（矢印Ａ方向）とは反対方向（矢印Ｃ方向）から挿入すれば、鉛筆切削時にカッター８がカッターホルダー３から外れる方向の力が作用することはない。このことから、回転軸１１ａ、１１ｂと抜け止め用ビス１６との間に多少のがたＤが存在しても、カッターホルダー３とカッター８との位置精度に影響を及ぼすことはない。また、カッターホルダー３が逆に回転した場合は、カッター８は上記と反対方向に付勢されるが、この場合はカッター８の切削刃が鉛筆を削らない方向なので、カッターホルダー３とカッター８との位置精度がずれても問題はない。
【００１８】
また、カッター８の取り換え等に際しては、抜け止め用ビス１６を外すだけで、カッター８をカッターホルダー３から抜き出すことができるので、容易に取り替えることができる。
【００１９】
本実施形態の上記構成例では、軸受部１２ａの構成材料の剛性が高く、組み込み口１５の開口幅が回転軸１１ａの直径に対応し、抜け止め用ビス１６を設けた例を示したが、他の構成例として、図５に示すように、カッターホルダー３を樹脂材料で構成し、軸受部１２ａに、カッター８の回転軸１１ａが嵌合する嵌合部１７と、回転軸１１ａの直径よりも若干小さい開口幅Ｈの組み込み口１８を設け、回転軸１１ａを挿入するときは、軸受部１２ａの樹脂の弾性を利用して組み込むようにしても良い。そうすると、抜け止め用ビス１６を廃止することができて、部品点数及び組立工数を低減でき、より安価に構成することができる。
【００２０】
なお、上記実施形態においては、カッターホルダー３の駆動手段にモータ６を用いた電動式鉛筆削り機１の例を説明したが、本発明はカッターホルダー３を手動で回転駆動する手動式鉛筆削り機に適用しても同様の作用効果を奏することができる。
【産業上の利用可能性】
【００２１】
本発明の鉛筆削り機は、部品点数を少なくすることができるとともに加工及び組立工程数が飛躍的少なくなるため安価に構成でき、かつカッターの取替えに際しても作業が容易でかつ再組立後の精度も維持することができるので、電動及び手動の鉛筆削り機として有用である。
【図面の簡単な説明】
【００２２】
【図１】本発明の鉛筆削り機の一実施形態の全体概略構成を示し（ａ）は縦断正面図、（ｂ）は部分断面側面図。
【図２】同実施形態の要部の縦断面図。
【図３】図２の側面図。
【図４】図１（ａ）のＥ−Ｅ矢視図。
【図５】同実施形態の他の構成例の図２と同様の側面図。
【図６】従来例の鉛筆削り機の要部の縦断面図。
【図７】他の従来例の鉛筆削り機の要部の構成図。
【符号の説明】
【００２３】
１  電動鉛筆削り機
３  カッターホルダー
８  カッター
１１ａ、１１ｂ  回転軸
１２ａ、１２ｂ  軸受部
１４、１７  嵌合部
１５、１８  組み込み口
【図１】
2007203656.tif 000003
【図２】
2007203656.tif 000004
【図３】
2007203656.tif 000005
【図４】
2007203656.tif 000006
【図５】
2007203656.tif 000007
【図６】
2007203656.tif 000008
【図７】
2007203656.tif 000009